(57)【要約】【課題】出力遮断制御の基準となる識別情報の設定を容易かつ確実に行うことができるスケルチを提供すること。【解決手段】放送用信号に対して周波数変換を含む所定処理を行う放送用中継局装置１に配置され、放送用信号の出力遮断制御を行うデジタルスケルチ５であって、放送用信号から、当該放送用信号を一意に識別するためのＮＩＴを取得するＮＩＴ取得部５ｄと、ＮＩＴ取得部５ｄにて取得されたＮＩＴに基づいて、出力遮断制御の要否を判定するＮＩＴ判定部５ｅと、ＮＩＴ取得部５ｄにて取得されたＮＩＴを用いて、ＮＩＴ判定部５ｅの判定に用いるＮＩＴを設定可能とするＮＩＴ設定部５ｅ１とを備える。【選択図】図２
2010124307.tif 000002
【特許請求の範囲】
【請求項１】
放送用信号に対して周波数変換を含む所定処理を行う放送用中継局装置に配置され、前記放送用信号の出力遮断制御を行うスケルチであって、
前記放送用信号から、当該放送用信号を一意に識別するための識別情報を取得する識別情報取得手段と、
前記識別情報取得手段にて取得された前記識別情報に基づいて、前記出力遮断制御の要否を判定する識別情報判定手段と、
前記識別情報取得手段にて取得された識別情報を用いて、前記識別情報判定手段の判定に用いる前記識別情報を設定可能とする設定手段と、
を備えることを特徴とするスケルチ。
【請求項２】
前記設定手段は、前記識別情報取得手段にて取得された識別情報の中から、所定の設定用基準にて選択した識別情報を、前記識別情報判定手段の判定に用いる前記識別情報として設定すること、
を特徴とする請求項１に記載のスケルチ。
【請求項３】
前記設定手段は、前記識別情報取得手段にて取得された識別情報の中で、信号レベルが最も高い前記放送用信号から取得された識別情報を、前記識別情報判定手段の判定に用いる前記識別情報として設定すること、
を特徴とする請求項２に記載のスケルチ。
【請求項４】
前記設定手段は、前記識別情報取得手段にて取得された識別情報に対応するチャンネルを所定の出力手段に出力し、当該チャンネルの中から所定の方法で選択されたチャンネルに対応する識別情報を、前記識別情報判定手段の判定に用いる前記識別情報として設定すること、
を特徴とする請求項１から３のいずれか一項に記載のスケルチ。
【請求項５】
前記設定手段は、当該設定手段による前記識別情報の設定の適否を所定の切替基準に基づいて判定し、この判定結果に基づいて、当該設定手段にて前記識別情報の設定を行う自動モードと、当該スケルチの使用者による設定を行う手動モードとを、相互に切り替えること、
を特徴とする請求項１から４のいずれか一項に記載のスケルチ。
【発明の詳細な説明】
【技術分野】
【０００１】
本発明は、放送用信号を中継する放送用中継局装置に設けられるスケルチに関する。
【背景技術】
【０００２】
従来からＴＶ放送の放送システムにおいては、放送電波を山間部等の難視聴地域に伝送するために放送用中継局装置が利用されている。この放送用中継局装置は、山の頂上付近に建てられた中継所の内部に設置され、放送局から送信された放送波をアンテナで受信し、ここで信号の増幅やノイズの除去などを行って、再び送信信号を構成してこれを放送波として目的の難視聴地域に向けて送信するものである。
【０００３】
図７は、従来の放送用中継局装置の構成を示したブロック図である。放送用中継局装置１００は、受信アンテナ１０１、受信変換部１０２、送信変換部１０３、ＰＡ１０４（Ｐｏｗｅｒ  Ａｍｐ）、及び送信アンテナ１０５を備えて構成されていた。受信アンテナ１０１は、図示しない放送局から送信された放送波を受信して放送用信号として受信変換部１０２に出力する。受信変換部１０２は、放送用信号を所定の中間信号に変換し、中間信号に対するノイズ除去や信号増幅を行った後、この中間信号を送信変換部１０３に出力する。送信変換部１０３は、中間信号を目的の周波数の放送用信号に変換し、この放送用信号をＰＡ１０４に出力する。ＰＡ１０４は、放送用信号を増幅して送信アンテナ１０５に出力し、送信アンテナ１０５は放送用信号を放送波として送信する。
【０００４】
ここで、受信変換部１０２及び送信変換部１０３の各々には、出力制御装置（以下、スケルチ１０２ａ、１０３ａ）が内蔵されていた。これらスケルチ１０２ａ、１０３ａは、放送用中継局装置１００から出力されるノイズを抑制する。すなわち、受信変換部１０２や送信変換部１０３の内部には、図示しないＡＧＣ（Ａｕｔｏｍａｔｉｃ  Ｇａｉｎ  Ｃｏｎｔｒｏｌ）が設けられており、このＡＧＣを用いて利得を自動制御することで、受信変換部１０２や送信変換部１０３からの出力レベルを所定レベルに維持する。このため、放送休止中等の理由によって放送波がない時には、受信変換部１０２や送信変換部１０３に対する入力レベルが低いものと判定してノイズを最大利得で増幅してしまい、これら受信変換部１０２や送信変換部１０３からノイズが出力され、不要放射となってしまう。この問題を防止するため、スケルチ１０２ａ、１０３ａにて受信変換部１０２や送信変換部１０３に対する入力レベルを判定し、当該入力レベルが所定レベル（以下「スケルチレベル」）以下である場合には、ＡＧＣの増幅機能をＯＦＦとすること等によって、放送用信号の出力を遮断していた（例えば特許文献１参照）。
【０００５】
【特許文献１】特開２００４−０４８１４１号公報
【発明の開示】
【発明が解決しようとする課題】
【０００６】
しかしながら、従来の放送用中継局装置１００においては、スケルチ１０２ａ、１０３ａにおけるＡＧＣの制御を入力レベルのみに基づいて行っていたので、例えば、放送休止中等の理由によって放送波がない時に、他の地域の同一チャンネルの放送波がスケルチレベル以上のレベルで放送用中継局装置１００に飛び込んできた場合、スケルチ１０２ａ、１０３ａは放送用信号の出力を継続してしまう可能性があった。
【０００７】
このような問題を防止するためには、スケルチ１０２ａ、１０３ａの制御を入力レベル以外の情報に基づいて行うことも考えられる。例えば、中継を行うべき所定の放送波（以下「希望波」）であるか否かを識別するための識別情報を当該放送波に含めておき、スケルチ１０２ａ、１０３ａでは、当該識別情報に基づいて放送波の判別を行い、希望波である場合には放送用信号の出力を継続し、希望波でない場合には放送用信号の出力を遮断することが考えられる。
【０００８】
このような制御を行うためには、希望波に対応する識別情報をスケルチ１０２ａ、１０３ａに予め設定しておく必要がある。この設定操作を簡易化するためには、スケルチ１０２ａ、１０３ａに希望波の放送用信号を実際に入力し、この放送用信号から識別情報を自動的に取得させた状態で、使用者が設定指示を行うことで、当該取得させた識別情報を、希望波に対応する識別情報として当該スケルチ１０２ａ、１０３ａに記憶させることが好ましい。しかしながら、このように使用者の設定指示によって識別情報の設定を行う場合には、使用者の作業の手間が増えると共に、使用者の設定ミスによって誤った識別情報が設定される可能性があった。
【０００９】
また、設定の具体的な方法としては、例えば、チャンネルを一つずつ切り替えて各チャンネルに対応する識別情報を表示等させることにより、識別情報が取得できるチャンネルを確認し、識別情報が取得できるチャンネルの中から希望するチャンネルを選択することで、このチャンネルに対応する識別情報を、スケルチ１０２ａ、１０３ａに記憶させることも考えられる。しかしながら、この場合には、チャンネルを切り替える手間と時間を要するため、識別情報の設定作業の効率が悪いという問題があった。
【００１０】
本発明は、上記に鑑みてなされたものであって、出力遮断制御の基準となる識別情報の設定を容易かつ確実に行うことができるスケルチを提供することができる。
【課題を解決するための手段】
【００１１】
上述した課題を解決し、目的を達成するために、請求項１に記載のスケルチは、放送用信号に対して周波数変換を含む所定処理を行う放送用中継局装置に配置され、前記放送用信号の出力遮断制御を行うスケルチであって、前記放送用信号から、当該放送用信号を一意に識別するための識別情報を取得する識別情報取得手段と、前記識別情報取得手段にて取得された前記識別情報に基づいて、前記出力遮断制御の要否を判定する識別情報判定手段と、前記識別情報取得手段にて取得された識別情報を用いて、前記識別情報判定手段の判定に用いる前記識別情報を設定可能とする設定手段とを備えることを特徴とする。
【００１２】
請求項２に記載のスケルチは、請求項１に記載のスケルチにおいて、前記設定手段は、前記識別情報取得手段にて取得された識別情報の中から、所定の設定用基準にて選択した識別情報を、前記識別情報判定手段の判定に用いる前記識別情報として設定することを特徴とする。
【００１３】
請求項３に記載のスケルチは、請求項２に記載のスケルチにおいて、前記設定手段は、前記識別情報取得手段にて取得された識別情報の中で、信号レベルが最も高い前記放送用信号から取得された識別情報を、前記識別情報判定手段の判定に用いる前記識別情報として設定することを特徴とする。
【００１４】
請求項４に記載のスケルチは、請求項１から３のいずれか一項に記載のスケルチにおいて、前記設定手段は、前記識別情報取得手段にて取得された識別情報に対応するチャンネルを所定の出力手段に出力し、当該チャンネルの中から所定の方法で選択されたチャンネルに対応する識別情報を、前記識別情報判定手段の判定に用いる前記識別情報として設定することを特徴とする。
【００１５】
請求項５に記載のスケルチは、請求項１から４のいずれか一項に記載のスケルチにおいて、前記設定手段は、当該設定手段による前記識別情報の設定の適否を所定の切替基準に基づいて判定し、この判定結果に基づいて、当該設定手段にて前記識別情報の設定を行う自動モードと、当該スケルチの使用者による設定を行う手動モードとを、相互に切り替えることを特徴とする。
【発明の効果】
【００１６】
請求項１に記載のスケルチによれば、識別情報取得手段にて取得された識別情報を用いて、識別情報判定手段の判定に用いる識別情報を設定可能とするので、チャンネルを一つずつ切り替えて識別情報の取得可否を確認する必要等がなくなり、出力遮断制御の基準となる識別情報の設定を容易かつ確実に行うことが可能となる。
【００１７】
請求項２に記載のスケルチによれば、所定の設定用基準にて選択した識別情報を設定するので、識別情報が設定用基準に基づいて自動的に設定され、出力遮断制御の基準となる識別情報の設定を一層容易かつ確実に行うことが可能となる。
【００１８】
請求項３に記載のスケルチによれば、信号レベルが最も高い放送用信号から取得された識別情報を、識別情報判定手段の判定に用いる識別情報として設定するので、希望波を信号レベルに基づいて自動的に選択して出力させることができる。
【００１９】
請求項４に記載のスケルチによれば、識別情報取得手段にて取得された識別情報に対応するチャンネルが出力手段に出力され、このチャンネルの中から希望するチャンネルを選択することで、当該選択されたチャンネルに対応する識別情報が、識別情報判定手段の判定に用いる識別情報として設定されるので、識別情報を取得可能なチャンネルを一つずつ切り替えて確認する必要等がなくなり、出力遮断制御の基準となる識別情報の設定を容易かつ確実に行うことが可能となる。
【００２０】
請求項５に記載のスケルチによれば、自動モードと手動モードとを相互に切り替えるので、自動モードによる識別情報の設定が困難である場合には手動モードによる設定に切り替えて使用者に識別情報の設定を促す等、状況に適した設定モードで識別情報の設定を行うことができる。
【発明を実施するための最良の形態】
【００２１】
以下に添付図面を参照して、この発明に係るスケルチの各実施の形態を詳細に説明する。まず、〔I〕各実施の形態の基本的概念を説明した後、〔II〕各実施の形態の具体的内容について説明し、〔III〕最後に、各実施の形態に対する変形例について説明する。ただし、各実施の形態によって本発明が限定されるものではない。
【００２２】
〔I〕各実施の形態の基本的概念
まず、各実施の形態の基本的概念について説明する。各実施の形態に係る放送用中継局装置は、ＴＶ放送の放送システムにおいて、放送電波を入力信号として受信し、これに周波数変換を含む処理を施して出力信号を生成する機能を備えるものである。この種の放送用中継局装置において、入力信号は、発振器からの所定周波数の信号と混合され、その処理のために一旦中間信号に変換される。この状態でフィルタ回路によって信号ノイズの除去が施され、必要な信号増幅などが行われる。これらの処理を経た中間信号は、入力信号と同じかあるいは任意の周波数に、再度変換され出力される。
【００２３】
本発明に係る放送用中継局装置の代表的な例としては、ＴＶ放送用の放送用中継局装置がある。この放送用中継局装置は、ＴＶ放送の放送システムにおいて、放送電波を山間部等の難視聴地域に中継するためのものであり、特に、本発明に係るものは、放送用信号を所定周波数の中間信号に変換した後、該中間信号を所定周波数の放送用信号に変換する信号変換機能を備えた放送用中継局装置である。各実施の形態が適用される放送用中継局装置は、その形式として、放送電波を受信する受信所と難視聴地域に電波を送信する送信所とが分離され光ファイバーなどの伝送路によって接続された分離型が、受信機と送信機が一箇所にある非分離型かを問わない。以下の実施の形態では、この放送電波の中継用の放送用中継局装置を例に挙げて説明する。なお、放送用中継局装置の構成としては、分波方法によって、ＳＣＰＡ（Ｓｉｎｇｌｅ  Ｃｈａｎｎｅｌ  Ｐｏｗｅｒ  Ａｍｐｌｉｆｉｅｒ）とＭＣＰＡ（Ｍｕｌｔｉ  Ｃｈａｎｎｅｌ  Ｐｏｗｅｒ  Ａｍｐｌｉｆｉｅｒ）に大別でき、本発明はいずれの構成にも同様に適用できるが、以下ではＳＣＰＡの例について説明する。
【００２４】
〔II〕各実施の形態の具体的内容
次に、各実施の形態の具体的内容について説明する。最初に、各実施の形態に係るスケルチ及び放送用中継局装置の構成を説明し、次いで、このスケルチ及び放送用中継局装置を用いて行われる処理について説明する。
【００２５】
〔実施の形態１〕
まず実施の形態１について説明する。この実施の形態１は、放送用信号の識別情報を自動設定する形態である。
【００２６】
（構成）
図１は、実施の形態１に係る放送用中継局装置の構成を示すブロック図である。この放送用中継局装置１は、概略的に、受信アンテナ２、受信変換部３、送信変換部４、デジタルスケルチ５、ＰＡ６、及び送信アンテナ７を備えて構成されている。
【００２７】
受信アンテナ２は、放送局から送信された放送波を受信して放送用信号として受信変換部３に出力する。受信変換部３は、放送用信号を所定の中間信号に変換して送信変換部４に出力する中間信号変換手段である。送信変換部４は、中間信号を目的の周波数の放送用信号に変換する放送用信号変換手段である。これら受信変換部３や送信変換部４においては、中間信号に対するノイズ除去や信号増幅が行われる。デジタルスケルチ５については後述する。ＰＡ６は、放送用信号を増幅して送信アンテナ７に出力する増幅手段である。送信アンテナ７は、放送用信号を放送波として送信する。なお、これら受信アンテナ２、受信変換部３、送信変換部４、ＰＡ６、及び送信アンテナ７については、従来と同様に構成できるので、その詳細は省略する。
【００２８】
（構成−デジタルスケルチ）
次いで、デジタルスケルチ５の構成について詳細に説明する。このデジタルスケルチ５は、放送用信号又は当該放送用信号に基づいて生成された中間信号の出力遮断制御を行うためのものである。図２は、図１のデジタルスケルチ５の構成を示すブロック図である。デジタルスケルチ５は、入力端子５ａ、出力端子５ｂ、復調部５ｃ、ＮＩＴ取得部５ｄ、ＮＩＴ判定部５ｅ、スケルチ制御部５ｆ、入出力インターフェース（以下「入出力Ｉ／Ｆ」）５ｇ、チャンネル表示器５ｈ、チャンネル設定ＳＷ５ｉ、同期表示灯５ｊ、ＮＩＴ受信表示灯５ｋ、スケルチ表示灯５ｍ、制御ＳＷ５ｐ、及びリセットＳＷ５ｑを備えて構成されている。
【００２９】
入力端子５ａは、前段機器（ここでは送信変換部４)からの放送用信号の入力を受け付ける入力手段である。出力端子５ｂは、後段機器（ここではＰＡ６）へ放送用信号を出力する出力手段である。復調部５ｃは、入力端子５ａから出力端子５ｂに至る線路から放送用信号を取得し、当該取得した放送用信号を復調してＮＩＴ取得部５ｄに出力する。
【００３０】
ＮＩＴ取得部５ｄは、放送用信号に多重されたＮＩＴ（Ｎｅｔｗｏｒｋ  Ｉｎｆｏｒｍａｔｉｏｎ  Ｔａｂｌｅ）を取得してＮＩＴ判定部５ｅに出力する識別情報取得手段である。ＮＩＴは、放送用中継局装置１によって中継を行うべき放送用信号を識別するための識別情報である。このＮＩＴには、放送用信号の物理チャンネル及び周波数が含まれている。ただし、識別情報の具体的種類は任意であり、ＮＩＴに代えて、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、ＣＤＴ（Ｃｏｍｍｏｎ  Ｄａｔａ  Ｔａｂｌｅ）を含む、任意の情報を用いることができる。
【００３１】
このＮＩＴ取得部５ｄは、信号レベル検出部５ｄ１、及び信号レベル判定部５ｄ２を備えている。信号レベル検出部５ｄ１は、放送用信号の信号レベルを検出する信号レベル検出手段である。信号レベル判定部５ｄ２は、信号レベル検出部５ｄ１にて検出された放送用信号の信号レベルを、設定用基準値に基づいて判定する信号レベル判定手段である。例えば、信号レベル判定部５ｄ２は、放送用中継局装置１によって中継を行うべき放送用信号のレベル指標となる設定用基準値を予め保持しており、この放送用信号の信号レベルが所定レベル以上であるか否かを判定する。
【００３２】
ＮＩＴ判定部５ｅは、ＮＩＴ取得部５ｄにて取得されたＮＩＴに基づいて、入力端子５ａを介して入力された放送用信号に対する出力遮断制御の要否を判定する判定手段である。例えば、ＮＩＴ判定部５ｅは、放送用中継局装置１によって中継を行うべき放送用信号のＮＩＴを当該ＮＩＴ判定部５ｅに予め保持しており、このＮＩＴとＮＩＴ取得部５ｄにて取得されたＮＩＴとが相互に一致するか否かを判定することで、放送用信号の適否を判定する。これら２つのＮＩＴが相互に一致する場合におけるＮＩＴ判定部５ｅの判定結果を「ＮＩＴ一致」、相互に一致しない場合におけるＮＩＴ判定部５ｅの判定結果を「ＮＩＴ不一致」と称する。なお、ＮＩＴ判定結果としては、この他にも、ＮＩＴが取得できなかった場合（ＮＩＴ無）や、ＮＩＴに何らかのエラーがあった場合（ＮＩＴエラー）が存在する。
【００３３】
このＮＩＴ判定部５ｅは、ＮＩＴ設定部５ｅ１を備えている。ＮＩＴ設定部５ｅ１は、信号レベル判定部５ｄ２の判定結果に応じて、ＮＩＴ取得部５ｄにて取得されたＮＩＴを、ＮＩＴ判定部５ｅの判定に用いるＮＩＴとして設定するためのもので、特許請求の範囲における設定手段に対応する。例えば、ＮＩＴ設定部５ｅ１は、信号レベル判定部５ｄ２にて判定された放送用信号のうち、所定条件に基づいて選択された放送用信号のＮＩＴをＮＩＴ判定部５ｅに設定する。具体的には、ＮＩＴ設定部５ｅ１は、信号レベル判定部５ｄ２にて信号レベルが所定レベル以上であると判定された放送用信号が複数ある場合には、これら放送用信号のうち最も高いレベルの放送用信号のＮＩＴを、ＮＩＴ判定部５ｅに保持させることによって設定する。
【００３４】
スケルチ制御部５ｆは、ＮＩＴ判定部５ｅの判定結果に基づいて出力遮断制御を行うスケルチ制御手段である。例えば、スケルチ制御部５ｆは、ＮＩＴ判定部５ｅの判定結果がＮＩＴ不一致である場合にのみ、放送用信号の出力を遮断し、判定結果が他の場合には、放送用信号の出力を継続する。
【００３５】
入出力Ｉ／Ｆ５ｇは、外部機器との間で有線又は無線によって通信を行うための入出力手段である。例えば、外部機器としては、デジタルスケルチ５を遠方より監視する遠方監視装置が想定される。また、入出力Ｉ／Ｆ５ｇは、ＮＩＴ取得部５ｄにて取得されたＮＩＴを遠方監視装置に送信する送信手段である。
【００３６】
チャンネル表示器５ｈは、当該放送用中継局装置１によって中継を行うべき放送用信号のチャンネル番号を表示する表示手段であり、例えば、７セグメント表示器によって構成される。また、チャンネル表示器５ｈは、ＮＩＴ取得部５ｄにて取得されたＮＩＴを表示する識別情報出力手段である。チャンネル設定ＳＷ５ｉは、中継を行うべき放送用信号のチャンネル番号を設定するための入力スイッチである。同期表示灯５ｊは、放送用信号との同期状態を示す表示手段、ＮＩＴ受信表示灯５ｋは、放送用信号からのＮＩＴの取得状態を示す表示手段、スケルチ表示灯５ｍは、出力遮断制御の状態を示す表示手段であり、これらは例えばＬＥＤ（Ｌｉｑｕｉｄ  Ｅｍｉｔｔｉｎｇ  Ｄｉｏｄｅ）を用いて構成される。
【００３７】
制御ＳＷ５ｐは、出力遮断制御を自動的に解除することで、放送用信号をいわゆるスルー状態で出力端子５ｂに出力させるための指示手段であり、この制御ＳＷ５ｐが押圧されると、当該制御ＳＷ５ｐが再び押圧されるまで押圧状態が機械的に保持され、押圧状態が保持されている間は、基本条件と連続条件の充足の有無に関わらず、出力遮断制御が解除される。リセットＳＷ５ｑは、スケルチ制御部５ｆをリセットするためのリセット手段である。
【００３８】
（処理）
次に、放送用中継局装置１のデジタルスケルチ５において行われる各種の処理について説明する。この処理は、ＮＩＴを放送用中継局装置１に設定するための設定処理、及び放送用信号の中継を行うための中継処理に大別される。なお、特記しない制御に関しては、スケルチ制御部５ｆが行うこととする。
【００３９】
（処理−設定処理）
最初に、設定処理について説明する。図３は、実施の形態１に係るデジタルスケルチ５の設定処理のフローチャートである。この設定処理は、中継処理に先立つ任意のタイミングで開始されるもので、例えば、入力端子５ａに放送用信号を入力している状態で、使用者によってチャンネル設定ＳＷ５ｉが押されることによって開始される。
【００４０】
まず、使用者によってチャンネル設定ＳＷ５ｉが押されると、信号レベル判定部５ｄ２は、当該信号レベル判定部５ｄ２に予め保持されていた設定用基準値に基づいて、信号レベル検出部５ｄ１にて検出された放送用信号の入力レベルが設定用基準値を超えているか否かを判定する（ＳＡ１）。ここでは、入力端子５ａに入力されている全ての周波数の放送用信号について順次判定を行う。入力レベルが設定用基準値を超えている放送用信号が一つもない場合（ＳＡ１、Ｎｏ）、信号レベル判定部５ｄ２は、入力レベルが設定用基準値を超えている放送用信号が一つ以上見つかるまで、このステップＳＡ１を繰り返し行う。そして、入力レベルが設定用基準値を超えている放送用信号が一つ以上見つかった場合（ＳＡ１、Ｙｅｓ）、信号レベル判定部５ｄ２は、このような放送用信号が複数存在するか否かを判定する（ＳＡ２）。
【００４１】
ここで、入力レベルが設定用基準値を超えている放送用信号が複数存在しない場合（一つしか存在しない場合）（ＳＡ２、Ｎｏ）、ＮＩＴ取得部５ｄは、当該放送用信号のＮＩＴを取得し、スケルチ制御部５ｆは、このＮＩＴと、このＮＩＴに含まれるチャンネル番号（物理チャンネル）を、チャンネル表示器５ｈに表示させる（ＳＡ３）。このチャンネル表示器５ｈの表示方法は任意であるが、例えば、ＮＩＴとチャンネル番号は交互に表示され、ＮＩＴの桁数がチャンネル表示器５ｈの表示桁数より多い場合には、ＮＩＴは複数に分割して順次表示される。このように、チャンネル表示器５ｈは、これらチャンネル番号及びＮＩＴの表示内容を使用者に対して視覚的に提供することで、現在の放送用信号の内容を使用者に認識させることができる。
【００４２】
一方、入力レベルが設定用基準値を超えている放送用信号が複数存在する場合（ＳＡ２、Ｙｅｓ）、ＮＩＴ取得部５ｄは、当該複数の放送用信号の中から、所定条件に基づいて一つの放送用信号を選択する（ＳＡ４）。例えば、当該複数の放送用信号の中から、信号レベルが最も高い放送用信号を選択する。あるいは、変調誤差比、ビット誤り率、受信電力レベル、Ｃ／Ｎ（Ｃａｒｒｉｅｒ／Ｎｏｉｚｅ）比、同期状態等が最も好ましい放送用信号を選択するようにしてもよい。そして、ＮＩＴ取得部５ｄは、当該選択した放送用信号のＮＩＴを取得し、スケルチ制御部５ｆは、このＮＩＴと、このＮＩＴに含まれるチャンネル番号（物理チャンネル）を、チャンネル表示器５ｈに表示させる（ＳＡ５）。なお、何らかの原因でステップＳＡ３又はステップＳＡ４においてＮＩＴが取得できない場合には、その旨を示す所定の表示（例えば「−」）をチャンネル表示器５ｈに表示する。
【００４３】
ステップＳＡ３又はステップＳＡ５の実行から所定時間が経過した後、ＮＩＴ設定部５ｅ１は、その時点においてチャンネル表示器５ｈに表示していたＮＩＴを、ＮＩＴ判定部５ｅに保持させることで（以前のＮＩＴが既にＮＩＴ判定部５ｅによって保持されている場合には、当該ＮＩＴに対して新規なＮＩＴを上書きすることで）、当該ＮＩＴの設定を行う（ＳＡ６）。ただし、ステップＳＡ３又はステップＳＡ５の実行から所定時間が経過する前に、使用者によって所定方法で設定停止や設定変更が指示された場合には、当該ＮＩＴの設定を中止するようにしてもよい。また、この際、ＮＩＴの到来タイミングと、ＮＩＴの取得／判定タイミングを合致させる同期処理を行う。これにて設定処理が終了する。
【００４４】
（処理−中継処理）
最後に、中継処理について説明する。図４は、実施の形態１に係るデジタルスケルチ５の中継処理のフローチャートである。ＮＩＴ取得部５ｄは、復調部５ｃにて復調された放送用信号からＮＩＴを取得すると（ＳＢ１、Ｙｅｓ）、当該ＮＩＴをＮＩＴ判定部５ｅに出力すると共に（ＳＢ２）、ＮＩＴを含む報知信号を生成して、当該報知信号を入出力Ｉ／Ｆ５ｇを介して遠方監視装置に送信する（ＳＢ３）。この報知信号を受信した遠方監視装置は、当該受信した報知信号に含まれるＮＩＴを表示部に表示する。従って、遠方監視装置は、デジタルスケルチ５によって取得されたＮＩＴの内容を、監視者に対して視覚的に提供することができる。
【００４５】
また、ＮＩＴ判定部５ｅは、ＮＩＴ取得部５ｄにて取得されたＮＩＴと、設定処理によって内部に保持したＮＩＴとが、相互に一致するか否かを判定する（ＳＢ４）。そして、ＮＩＴ判定部５ｅは、この判定結果を示す信号をスケルチ制御部５ｆに出力する（ＳＢ５）。スケルチ制御部５ｆは、ＮＩＴ判定部５ｅからの判定結果に基づいて、出力遮断の要否を判定し（ＳＢ６）、この判定の結果に基づいて出力遮断制御を行う。すなわち、スケルチ制御部５ｆは、ＮＩＴが一致の場合には出力を継続し、ＮＩＴ不一致の場合には出力を遮断する（ＳＢ７）。
【００４６】
（実施の形態１の効果）
このように実施の形態１によれば、ＮＩＴ取得部５ｄにて取得されたＮＩＴを、ＮＩＴ設定部５ｅ１にて当該ＮＩＴ判定部５ｅの判定に用いるＮＩＴとして設定するので、所定の信号レベルを有するＮＩＴを自動的に設定することができ、出力遮断制御の基準となるＮＩＴの設定を容易かつ確実に設定することができる。
【００４７】
また、信号レベルが最も高い放送用信号から取得されたＮＩＴを、ＮＩＴ判定部５ｅの判定に用いるＮＩＴに設定することで、希望波を信号レベルに基づいて自動的に選択して出力させることができる。
【００４８】
〔実施の形態２〕
次に、実施の形態２について説明する。この実施の形態２は、識別情報の設定モードを切り替えることができる形態である。実施の形態２の構成は、特記する場合を除いて実施の形態１の構成と略同一であり、実施の形態１の構成と略同一の構成についてはこの実施の形態１で用いたのと同一の名称又は符号を必要に応じて付して、その説明を省略する。
【００４９】
（構成）
実施の形態２に係る放送用中継局装置１は、デジタルスケルチ５の構成を除き、図１に示した実施の形態１の放送用中継局装置１と同様に構成できるため、デジタルスケルチ５以外の構成の説明を省略する。図５は実施の形態２に係るデジタルスケルチ５の構成を示すブロック図である。このデジタルスケルチ５は、図２に示した実施の形態１のデジタルスケルチ５に対して、ＮＩＴ設定ＳＷ５ｒ及び設定モードＳＷ５ｓを加えて構成されている。ＮＩＴ設定ＳＷ５ｒは、中継を行うべき放送用信号のＮＩＴを設定するための入力スイッチである。設定モードＳＷ５ｓは、ＮＩＴの設定モードを指示するための指示手段である。このＮＩＴの設定モードは任意であるが、本実施の形態２では、ＮＩＴの設定が実施の形態１と同様に自動的に行われるオートモードと、ＮＩＴの設定が手動的に行われるマニュアルモードを設けている。
【００５０】
（処理）
実施の形態２に係る中継システムのデジタルスケルチ５において行われる各種の処理は、実施の形態１とは一部が異なる設定処理と、実施の形態１と同様の中継処理に大別される。以下では、設定処理についてのみ説明する。
【００５１】
（設定処理）
図６は、実施の形態２に係るデジタルスケルチ５の設定処理のフローチャートである。この設定処理は、中継処理に先立つ任意のタイミングで開始されるもので、例えば、入力端子５ａに放送用信号を入力している状態で、使用者によってチャンネル設定ＳＷ５ｉが押されることによって開始される。また、この際、使用者は、設定モードＳＷ５ｓを介して、ＮＩＴの設定モードとして、オートモードとマニュアルモードのいずれかを選択しておく。
【００５２】
最初に、スケルチ制御部５ｆは、設定モードＳＷ５ｓがオートモードに設定されているか否かを判定する（ＳＣ１）。ここで、設定モードＳＷ５ｓがオートモードに設定されていると判定された場合（ＳＣ１、Ｙｅｓ）、信号レベル判定部５ｄ２は、当該信号レベル判定部５ｄ２に予め保持されていた設定用基準値に基づいて、信号レベル検出部５ｄ１にて検出された放送用信号の入力レベルが設定用基準値を超えているか否かを判定する（ＳＣ２）。ここでは、入力端子５ａに入力されている全ての周波数の放送用信号について順次判定を行う。
【００５３】
入力レベルが設定用基準値を超えている放送用信号が一つもない場合（ＳＣ２、Ｎｏ）、スケルチ制御部５ｆは、オートモードでＮＩＴの自動設定を行うことが困難であるとし、設定モードをオートモードからマニュアルモードに自動的に切り替える。一方、入力レベルが設定用基準値を超えている放送用信号が一つ以上見つかった場合（ＳＣ２、Ｙｅｓ）、ステップＳＣ３〜ＳＣ７を行う。これらステップＳＣ３〜ＳＣ７は、図３に示した実施の形態１のデジタルスケルチ５の設定処理のステップＳＡ２〜ＳＡ６とそれぞれ同じであるため、その説明を省略する。
【００５４】
一方、設定モードＳＷ５ｓがオートモードに設定されていない（マニュアルモードに設定されている）と判定された場合（ＳＣ１、Ｎｏ）、あるいは、オートモードからマニュアルモードへの自動的な切り替えがあった場合（ＳＣ２、Ｎｏ）、スケルチ制御部５ｆは、入力端子５ａに入力されている全ての周波数の放送用信号について、ＮＩＴ取得部５ｄにて取得されたＮＩＴと、このＮＩＴに含まれるチャンネル番号（物理チャンネル）を、チャンネル表示器５ｈに順次表示させる（ＳＣ８）。
【００５５】
そして、スケルチ制御部５ｆは、使用者によってＮＩＴ設定ＳＷ５ｒが押されるまで、ＮＩＴ設定の指示を待機する（ＳＣ９、Ｎｏ）。そして、ＮＩＴ設定が指示されると（ＳＣ９、Ｙｅｓ）、ＮＩＴ設定部５ｅ１は、その時点においてチャンネル表示器５ｈに表示していたＮＩＴを、ＮＩＴ判定部５ｅに保持させることで、当該ＮＩＴの設定を行う（ＳＣ１０）。また、この際、ＮＩＴの到来タイミングと、ＮＩＴの取得／判定タイミングを合致させる同期処理を行う。これにて設定処理が終了する。
【００５６】
あるいは、ＳＣ８において、スケルチ制御部５ｆは、ＮＩＴ取得部５ｄにてＮＩＴを取得できたチャンネル番号と当該ＮＩＴとを、図示しない記憶部に一時的に記憶させておき、全てのチャンネル番号に対するＮＩＴの取得を完了した後に、この記憶内容を呼び出し、ＮＩＴが取得できたチャンネル番号をチャンネル表示器５ｈに順次表示させたり、あるいは、可能である場合には当該チャンネル番号をチャンネル表示器５ｈに一覧表示させてもよい。この場合、ＮＩＴが認識できた全ての周波数についてのチャンネル番号を表示させてもよく、あるいは、ＳＣ２と同様に、信号レベル検出部５ｄ１にて検出された放送用信号の入力レベルが設定用基準値を超えている周波数についてのチャンネル番号のみを表示させてもよい。そしてＳＣ９において、使用者がＮＩＴ設定ＳＷ５ｒを用いていずれか一つのチャンネル番号を選択すると、ＳＣ１０において、ＮＩＴ設定部５ｅ１が、当該選択されたチャンネル番号に対応するＮＩＴをＮＩＴ判定部５ｅに保持させることで、当該ＮＩＴの設定を行うようにしてもよい。
【００５７】
（実施の形態２の効果）
このように実施の形態２によれば、設定モードＳＷ５ｓにてＮＩＴの設定を自動的に行うか手動的に行うかを選択できるので、使用者の意図に応じたＮＩＴの設定ができる。また、入力レベルが所定レベル以上の放送用信号が一つもない場合に、スケルチ制御部５ｆにてオートモードからマニュアルモードへ切り替えられることで、オートモードでＮＩＴの設定ができなくても、マニュアルモードでＮＩＴの設定ができる。
【００５８】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６０】
（放送用中継局装置の構成について）
また、各実施の形態においては、放送用中継局装置１の内部におけるデジタルスケルチ５の配置位置は任意に変更でき、例えば、送信変換部４の前段に設けてもよい。また、出力遮断制御の具体的方法も変更可能であり、出力端子５ｂへの出力を遮断するのではなく、例えばＰＡ６の電源をＯＦＦとしてもよい。あるいは、デジタルスケルチ５の機能を、受信変換部３、送信変換部４、又はＰＡ６に内蔵してもよい。
【００６１】
（ＮＩＴ等の表示手段について）
また、ＮＩＴを含む各種の情報の出力手段は、チャンネル表示器５ｈに限定されず、例えば、入出力Ｉ／Ｆ５ｇにＤ−Ｓｕｂケーブル等を介して接続された液晶ディスプレイ等に表示してもよい。
【００６２】
（設定用基準値及びモード切替基準について）
実施の形態１、２では、入力レベルが設定用基準値を超えている放送用信号が一つ以上見つかった場合に、ＮＩＴの自動設定を行っているが、設定用基準値を超えているか否かに関わらず、その時点で最も高いレベルの放送用信号のＮＩＴを、ＮＩＴ判定用のＮＩＴとして設定してもよい。あるいは、レベル以外の基準を用いることもでき、例えば、変調誤差比、ビット誤り率、受信電力レベル、Ｃ／Ｎ（Ｃａｒｒｉｅｒ／Ｎｏｉｚｅ）比、同期状態等に基づいて放送用信号の品質を判定し、品質が最も良い放送用信号のＮＩＴを、ＮＩＴ判定用のＮＩＴとして設定してもよい。また、実施の形態２では、放送用信号の入力レベルが設定用基準値を超えているか否かに基づいて、オートモードによるＮＩＴの設定が可能であるか否かを判定しているが、他の任意の基準を用いることも可能である。例えば、設定用基準値よりも低いレベルの切替用基準値を設定し、この切替用基準値を上回るレベルの放送用信号のＮＩＴの中から、ＮＩＴ判定用のＮＩＴを選定してもよい。
【図面の簡単な説明】
【００６３】
【図１】実施の形態１に係る放送用中継局装置の構成を示すブロック図である。
【図２】図１のデジタルスケルチの構成を示すブロック図である。
【図３】実施の形態１に係るデジタルスケルチの設定処理のフローチャートである。
【図４】実施の形態１に係るデジタルスケルチの中継処理のフローチャートである。
【図５】実施の形態２に係るデジタルスケルチの構成を示すブロック図である。
【図６】実施の形態２に係るデジタルスケルチの設定処理のフローチャートである。
【図７】従来の放送用中継局装置の構成を示したブロック図である。
【符号の説明】
【００６４】
１、１００  放送用中継局装置
２、１０１  受信アンテナ
３、１０２  受信変換部
４、１０３  送信変換部
５  デジタルスケルチ
５ａ  入力端子
５ｂ  出力端子
５ｃ  復調部
５ｄ  ＮＩＴ取得部
５ｄ１  信号レベル検出部
５ｄ２  信号レベル判定部
５ｅ  ＮＩＴ判定部
５ｅ１  ＮＩＴ設定部
５ｆ  スケルチ制御部
５ｇ  入出力Ｉ／Ｆ
５ｈ  チャンネル表示器
５ｉ  チャンネル設定ＳＷ
５ｊ  同期表示灯
５ｋ  ＮＩＴ受信表示灯
５ｍ  スケルチ表示灯
５ｐ  制御ＳＷ
５ｑ  リセットＳＷ
５ｒ  ＮＩＴ設定ＳＷ
５ｓ  設定モードＳＷ
６、１０４  ＰＡ
７、１０５  送信アンテナ
１０２ａ、１０３ａ  スケルチ
【図１】
2010124307.tif 000003
【図２】
2010124307.tif 000004
【図３】
2010124307.tif 000005
【図４】
2010124307.tif 000006
【図５】
2010124307.tif 000007
【図６】
2010124307.tif 000008
【図７】
2010124307.tif 000009